(57)【特許請求の範囲】
【請求項１】
火災を報知する火災信号を送信する発信機であって、
ユーザによる前記火災信号の送信指示を受け付ける操作手段と、
前記操作手段がユーザから前記火災信号の送信指示を受け付けた場合には、前記火災信号を無線で送信する無線送信手段と、
前記発信機から前記火災信号を受信したことを確認する他の機器から送信される確認信号であって、前記他の機器が前記火災信号の受信を確認したことを通知するための確認信号を無線で受信する無線受信手段と、を備え、
前記無線送信手段は、
前記操作手段がユーザから前記火災信号の送信指示を受け付けた場合に、前記無線受信手段が前記他の機器から前記確認信号を受信していないことを示す未確認情報を前記火災信号に付加して無線で送信し、
前記未確認情報が付加された火災信号を当該無線送信手段が無線で送信した後に、前記無線受信手段が所定時間内に前記確認信号を受信しなかった場合には、当該未確認情報が付加された火災信号を無線で再送信する、
発信機。
【請求項２】
当該発信機を識別するための識別情報を格納する識別情報格納手段と、
前記操作手段がユーザから前記火災信号の送信指示を受け付けた場合に、前記識別情報を前記識別情報格納手段から取得し、当該取得した前記識別情報を前記火災信号に付加する火災信号生成手段と、を備え、
前記無線送信手段は、
前記火災信号生成手段にて前記識別情報が付加された火災信号を無線で送信する、
請求項１に記載の発信機。
【請求項３】
前記無線送信手段は、
前記無線受信手段が前記確認信号を受信した場合に、前記未確認情報に代えて、当該無線受信手段が前記他の機器から前記確認信号を受信したことを示す確認済情報を前記火災信号に付加して無線で送信する、
請求項１又は２に記載の発信機。
【請求項４】
前記無線送信手段は、
前記無線受信手段が前記確認信号を受信した場合に、前記火災信号の送信を停止する、
請求項１又は２に記載の発信機。
【請求項５】
前記無線受信手段は、
前記無線送信手段が前記火災信号を無線で送信した場合において、当該火災信号を送信してから所定時間経過するまでの間、当該無線受信手段を動作させ、当該所定時間経過後、当該無線受信手段の動作を停止させる、
請求項１から４のいずれか一項に記載の発信機。
【請求項６】
前記無線受信手段が前記確認信号を受信した場合に、その旨を表示する表示手段、
を備える請求項１から５のいずれか一項に記載の発信機。
【請求項７】
監視領域における火災を検知して警報を行う火災報知システムであって、
火災を報知する火災信号を送信する発信機と、
前記発信機から受信した火災信号に基づいて所定処理を行う他の機器と、を備え、
前記発信機は、
ユーザによる前記火災信号の送信指示を受け付ける操作手段と、
前記操作手段がユーザから前記火災信号の送信指示を受け付けた場合には、前記火災信号を無線で送信する無線送信手段と、
前記他の機器から送信される確認信号であって、前記他の機器が前記火災信号の受信を確認したことを通知するための確認信号を無線で受信する無線受信手段と、を備え、
前記他の機器は、
前記確認信号を送信するための送信手段と、
当該他の機器が前記発信機から前記火災信号を受信した場合に、前記確認信号を前記送信手段によって送信させる制御手段と、を備え、
前記無線送信手段は、
前記操作手段がユーザから前記火災信号の送信指示を受け付けた場合に、前記無線受信手段が前記他の機器から前記確認信号を受信していないことを示す未確認情報を前記火災信号に付加して無線で送信し、前記無線受信手段が前記確認信号を受信した場合に、前記未確認情報が付加された前記火災信号の送信を停止し、
前記制御手段は、
前記送信手段が前記確認信号を送信した後に、前記他の機器が前記発信機から前記未確認情報が付加された火災信号を受信した場合には、当該確認信号を前記送信手段によって再送信させる、
火災報知システム。
【請求項８】
前記無線送信手段は、
前記無線受信手段が前記他の機器から前記確認信号を受信した場合に、当該無線受信手段が前記他の機器から前記確認信号を受信したことを示す確認済情報を火災信号に付加して無線で送信し、
前記制御手段は、
前記他の機器が前記発信機から前記確認済情報が付加された火災信号を受信した場合に、前記送信手段による前記確認信号の送信を停止させる、
請求項７に記載の火災報知システム。
【発明の詳細な説明】
【技術分野】
【０００１】
本発明は、発信機及び火災報知システムに関する。
【背景技術】
【０００２】
従来から、様々な種類の端末機器を用いて火災発生を報知する防災システムが利用されている。図１７は、従来の防災システム１０１の概略図である。図１７に示すように、この防災システム１０１は、建物の各階層において、火災が検知された場合に火災を報知する火災信号を送信する有線式感知器１１０及び無線式感知器１２０と、押しボタンが操作された場合に火災信号を送信する発信機１３０と、無線式感知器１２０から受信した火災信号を受信機１５０に中継する受信装置１４０と、受信装置１４０から信号線１０２を介して火災信号を受信する受信機１５０を備えて構成されている。また、図１７に示すような一定以上の規模の防災システム（例えば、Ｐ型１級受信機が用いられるシステム）では、消防法上の規定により、受信機１５０が発信機１３０から送信された火災信号の受信を確認したことを通知するための確認信号を発信機１３０に送信し、当該発信機１３０は確認信号を受信したことを図示しない表示部に表示しなければならない。このため、受信機１５０から発信機１３０に信号線１０２を介して確認信号が送信される。
【０００３】
ここで、信号線１０２は、Ａ線１０２ａ、Ｃ線１０２ｂ、Ｌ線１０２ｃを含んで構成されている。Ａ線１０２ａは、発信機１３０と受信機１５０とを相互に接続している。また、Ａ線１０２ａは、建物の各階層毎に設けられた発信機１３０に渡り接続されている。一方、Ｃ線１０２ｂ及びＬ線１０２ｃは、発信機１３０と有線式感知器１１０とを相互に接続し、有線式感知器１１０と受信装置１４０とを相互に接続し、及び受信装置１４０と受信機１５０とを相互に接続している。なお、Ａ線１０２ａとＣ線１０２ｂとの間、及びＬ線１０２ｃとＣ線１０２ｂとの間には、受信機１５０から所定の電圧が印加されている。また、Ｌ線１０２ｃ及びＣ線１０２ｂの終端には図示しない終端器（例えば抵抗器）が接続されており、受信機１５０は、電気的に終端器の接続の有無を判断することで（例えば、前述のＬ線１０２ｃから終端器を介してＣ線１０２ｂに流れる電流が所定範囲にあるか否かを判断することで）、Ｌ線１０２ｃ及びＣ線１０２ｂが断線しているか否かの確認を行っている。
【０００４】
このような防災システム１０１の構成においては、端末機器の火災信号を受信機１５０に送信する方法としては、例えば、端末機器が、当該端末機器と接続された信号線１０２を短絡させることにより、当該端末機器の火災信号を受信機１５０に送信する。具体的には、発信機１３０の火災信号の場合には、当該発信機１３０が、当該発信機１３０と接続されたＡ線１０２ａ、Ｃ線１０２ｂ、及びＬ線１０２ｃを短絡させることによりＡ線１０２ａ及びＬ線１０２ｃからＣ線１０２ｂに向けて電流が流れるようにし、その電流を受信機１５０に検知させることにより、当該発信機１３０の火災信号を受信機１５０に送信する。また、有線式感知器１１０の火災信号の場合には、当該有線式感知器１１０が、当該有線感知器と接続されたＣ線１０２ｂ及びＬ線１０２ｃを短絡させることにより、当該有線式感知器１１０の火災信号を受信機１５０に送信する。また、無線式感知器１２０の火災信号の場合には、受信装置１４０が、無線式感知器１２０から火災信号を受信した後に、当該受信装置１４０と接続されたＣ線１０２ｂ及びＬ線１０２ｃを短絡させることにより、Ｌ線１０２ｃからＣ線１０２ｂに向けて電流が流れるようにし、その電流を受信機１５０に検知させることにより、当該有線式感知器１１０の火災信号を受信機１５０に送信する（例えば、特許文献１参照）。
【０００５】
また、受信機１５０の確認信号を発信機１３０に送信する方法としては、例えば、受信機１５０は、上述のように、発信機１０３から火災信号が送信された場合に信号線１０２が短絡されることにより、当該受信機１５０の確認信号を発信機１３０に送信する。具体的には、受信機１５０は、当該受信機１５０と接続されたＡ線１０２ａ及びＣ線１０２ｂが短絡されることにより、Ａ線１０２ａからＣ線１０２ｃに向けて電流が流れるようにする。一方、発信機１３０は、このようにＡ線１０２ａ及びＣ線１０２ｃを介して電流が流れたことを検知したことをもって、当該受信機１５０からの確認信号を受信したものとする。
【先行技術文献】
【特許文献】
【０００６】
【特許文献１】特開平０８−１８５５９０号公報
【発明の概要】
【発明が解決しようとする課題】
【０００７】
しかしながら、このような従来の防災システム１０１において、発信機１３０の設置に関して問題があった。例えば、図１７に示す発信機１３０は、信号線１０２及び図示しない信号線によって受信機１５０と接続しなければならないので、当該発信機１３０の設置台数が多い場合には、設置コスト及び設置の手間がかかっていた。また、この発信機１３０は建物の各階層毎に設けられており、発信機１３０同士がＡ線１０２ａ、図示しないＡ線、及び図示しないＣ線によって渡り接続されている。具体的には、建物の各階層毎の天井又は床に設けられた貫通孔を介して発信機１３０同士がＡ線１０２ａ、図示しないＡ線、及び図示しないＣ線と接続されている。このような発信機１３０の設置においては、貫通孔の穿設が必要であり、このことが更に設置コスト及び設置の手間がかかる要因となっていた。
【０００８】
本発明は、上記に鑑みてなされたものであって、発信機の設置コスト及び設置の手間を低減することができる、発信機及び火災報知システムを提供することを目的とする。
【課題を解決するための手段】
【０００９】
上述した課題を解決し、目的を達成するために、請求項１に記載の発信機は、火災を報知する火災信号を送信する発信機であって、ユーザによる前記火災信号の送信指示を受け付ける操作手段と、前記操作手段がユーザから前記火災信号の送信指示を受け付けた場合には、前記火災信号を無線で送信する無線送信手段と、前記発信機から前記火災信号を受信したことを確認する他の機器から送信される確認信号であって、前記他の機器が前記火災信号の受信を確認したことを通知するための確認信号を無線で受信する無線受信手段と、を備え、前記無線送信手段は、前記操作手段がユーザから前記火災信号の送信指示を受け付けた場合に、前記無線受信手段が前記他の機器から前記確認信号を受信していないことを示す未確認情報を前記火災信号に付加して無線で送信し、前記未確認情報が付加された火災信号を当該無線送信手段が無線で送信した後に、前記無線受信手段が所定時間内に前記確認信号を受信しなかった場合には、当該未確認情報が付加された火災信号を無線で再送信する。
【００１０】
また、請求項２に記載の発信機は、請求項１に記載の発信機において、当該発信機を識別するための識別情報を格納する識別情報格納手段と、前記操作手段がユーザから前記火災信号の送信指示を受け付けた場合に、前記識別情報を前記識別情報格納手段から取得し、当該取得した前記識別情報を前記火災信号に付加する火災信号生成手段と、を備え、前記無線送信手段は、前記火災信号生成手段にて前記識別情報が付加された火災信号を無線で送信する。
【００１２】
また、請求項３に記載の発信機は、請求項１又は２に記載の発信機において、前記無線送信手段は、前記無線受信手段が前記確認信号を受信した場合に、前記未確認情報に代えて、当該無線受信手段が前記他の機器から前記確認信号を受信したことを示す確認済情報を前記火災信号に付加して無線で送信する。
【００１３】
また、請求項４に記載の発信機は、請求項１又は２に記載の発信機において、前記無線送信手段は、前記無線受信手段が前記確認信号を受信した場合に、前記火災信号の送信を停止する。
【００１４】
また、請求項５に記載の発信機は、請求項１から４のいずれか一項に記載の発信機において、前記無線受信手段は、前記無線送信手段が前記火災信号を無線で送信した場合において、当該火災信号を送信してから所定時間経過するまでの間、当該無線受信手段を動作させ、当該所定時間経過後、当該無線受信手段の動作を停止させる。
【００１５】
また、請求項６に記載の発信機は、請求項１から５のいずれか一項に記載の発信機において、前記無線受信手段が前記確認信号を受信した場合に、その旨を表示する表示手段を備える。
【００１６】
また、請求項７に記載の火災報知システムは、監視領域における火災を検知して警報を行う火災報知システムであって、監視領域における火災を検知して警報を行う火災報知システムであって、火災を報知する火災信号を送信する発信機と、前記発信機から受信した火災信号に基づいて所定処理を行う他の機器と、を備え、前記発信機は、ユーザによる前記火災信号の送信指示を受け付ける操作手段と、前記操作手段がユーザから前記火災信号の送信指示を受け付けた場合には、前記火災信号を無線で送信する無線送信手段と、前記他の機器から送信される確認信号であって、前記他の機器が前記火災信号の受信を確認したことを通知するための確認信号を無線で受信する無線受信手段と、を備え、前記他の機器は、前記確認信号を送信するための送信手段と、当該他の機器が前記発信機から前記火災信号を受信した場合に、前記確認信号を前記送信手段によって送信させる制御手段と、を備え、前記無線送信手段は、前記操作手段がユーザから前記火災信号の送信指示を受け付けた場合に、前記無線受信手段が前記他の機器から前記確認信号を受信していないことを示す未確認情報を前記火災信号に付加して無線で送信し、前記無線受信手段が前記確認信号を受信した場合に、前記未確認情報が付加された前記火災信号の送信を停止し、前記制御手段は、前記送信手段が前記確認信号を送信した後に、前記他の機器が前記発信機から前記未確認情報が付加された火災信号を受信した場合には、当該確認信号を前記送信手段によって再送信させる。
【００１７】
また、請求項８に記載の火災報知システムは、請求項７に記載の火災報知システムにおいて、前記無線送信手段は、前記無線受信手段が前記他の機器から前記確認信号を受信した場合に、当該無線受信手段が前記他の機器から前記確認信号を受信したことを示す確認済情報を火災信号に付加して無線で送信し、前記制御手段は、前記他の機器が前記発信機から前記確認済情報が付加された火災信号を受信した場合に、前記送信手段による前記確認信号の送信を停止させる。
【発明の効果】
【００１９】
請求項１に記載の発信機によれば、発信機は、ユーザによる火災信号の送信指示を受け付ける操作手段と、この操作手段がユーザから火災信号の送信指示を受け付けた場合には、火災信号を無線にて送信する無線送信手段と、確認信号を無線で受信する無線受信手段とを備えるので、信号線がなくても他の機器に火災信号を送信したり、確認信号を受信することができ、有線式の発信機と比べて設置コスト及び設置の手間を低減することができる。
また、無線送信手段は、未確認情報が付加された火災信号を当該無線送信手段が無線で送信した後に、無線受信手段が所定時間内に確認信号を受信しなかった場合には、当該未確認情報が付加された火災信号を無線で再送信するので、他の機器の火災信号の受信の確実性を向上させることができ、有線式の発信機と同等の通信の安定性を確保することができる。
【００２０】
また、請求項２に記載の発信機によれば、無線送信手段は、発信機の火災信号生成手段にて発信機識別情報が付加された火災信号を無線にて送信するので、発信機の火災信号を容易に識別でき、火災の位置を一層容易に特定することができる。
【００２２】
また、請求項３に記載の発信機によれば、無線送信手段は、無線受信手段が確認信号を受信した場合に、未確認情報に代えて、確認済情報を火災信号に付加して無線で送信するので、他の機器の火災信号の受信の確実性を一層向上させることができ、有線式の発信機と同等の通信の安定性を一層確保することができる。
【００２３】
また、請求項４に記載の発信機によれば、無線送信手段は、当該無線受信手段が確認信号を受信した場合に、火災信号の送信を停止するので、発信機と中継装置との間のトラフィック、又は発信機と受信装置との間のトラフィック等を一層減らすことができると共に、発信機の消費電力を低減でき、発信機の通信効率を向上させることができる。
【００２４】
また、請求項５に記載の発信機によれば、無線受信手段は、無線送信手段が火災信号を無線で送信した場合において、当該火災信号を送信してから所定時間経過するまでの間、当該無線受信手段を動作させ、当該所定時間経過後、当該無線受信手段の動作を停止させるので、発信機の消費電力を低減でき、発信機の通信効率を一層向上させることができる。
【００２５】
また、請求項６に記載の発信機によれば、発信機は、無線受信手段が確認信号を受信した場合に、その旨を表示する表示手段を備えるので、ユーザに対して発信機が確認信号を受信したことを提示でき、受信機が火災信号を受信したことをユーザが容易に確認できる。
【００２６】
また、請求項７に記載の火災報知システムによれば、発信機は、ユーザによる火災信号の送信指示を受け付ける操作手段と、この操作手段がユーザから火災信号の送信指示を受け付けた場合には、火災信号を無線にて送信する無線送信手段、確認信号を無線で受信する無線受信手段とを備え、受信装置は、確認信号を送信するための送信手段と、受信機が信号線を介して発信機の火災信号を受信した場合に、当該受信機から信号線を介して送信された確認信号を送信手段によって送信させる制御手段と、を備えるので、信号線がなくても他の機器に火災信号を送信したり、確認信号を受信することができ、有線式の発信機を備えて構成される火災報知システムと比べて設置コスト及び設置の手間を低減することができる。
また、制御手段は、送信手段が確認信号を送信した後に、受信装置が発信機から未確認情報が付加された火災信号を受信した場合には、当該確認信号を送信手段によって再送信させるので、発信機の確認信号の受信の確実性を向上させることができ、有線式の発信機を備えて構成される火災報知システムと同等の通信の安定性を確保することができる。
【００２７】
また、請求項８に記載の火災報知システムによれば、制御手段は、受信装置が発信機から確認済情報が付加された火災信号を受信した場合に、送信手段による確認信号の送信を停止させるので、発信機と受信装置との間のトラフィック、中継装置と受信装置との間のトラフィック等を減らすことができ、各機器の通信効率を向上させることができる。
【図面の簡単な説明】
【００２９】
【図１】火災報知システムの構成を示す概略図である。
【図２】受信装置と受信機との信号線の接続状況を示す概要図である。
【図３】発信機の電気的構成を示したブロック図である。
【図４】中継装置の電気的構成を示したブロック図である。
【図５】受信装置の電気的構成を概念的に示すブロック図である。
【図６】信号出力部の各端子の接続状況を示す概略図である。
【図７】移報方法テーブルに格納される情報の内容を例示した表である。
【図８】受信機の電気的構成を概念的に示すブロック図である。
【図９】信号出力部の各端子の接続状況を示す概略図である。
【図１０】発信機、中継装置、及び受信装置によって実行される中継処理のフローチャートである。
【図１１】図１０に続く発信機、中継装置、及び受信装置によって実行される中継処理のフローチャートである。
【図１２】発信機によって実行される中継処理のフローチャートである。
【図１３】受信装置によって実行される中継処理のフローチャートである。
【図１４】受信機によって実行される中継処理のフローチャートである。
【図１５】発信機、中継装置、及び受信装置によって実行される中継処理のフローチャートである。
【図１６】発信機によって実行される中継処理のフローチャートである。
【図１７】従来の防災システムの概略図である。
【発明を実施するための形態】
【００３０】
以下に添付図面を参照して、この発明に係る発信機及び火災報知システムの各実施の形態を詳細に説明する。最初に、この発信機を備えて構成された火災報知システムの全体構成を説明し、次に、発信機の構成を説明し、火災報知システムを構成する各機器が実行する中継処理について説明し、さらに、発信機の中継処理について説明し、最後に本実施の形態に対する変形例について説明する。ただし、各実施の形態によって本発明が限定されるものではない。なお、各実施の形態に係る発信機の設置対象や適用対象は任意であるが、以下では、オフィスビルの屋内に設置された発信機に適用した場合を例として説明を行う。
【００３１】
〔実施の形態１〕
まず実施の形態１について説明する。この形態は、発信機が火災信号を無線で送信し、他の機器から確認信号を無線で受信する形態である。
【００３２】
（構成−火災報知システム）
図１は、火災報知システムの構成を示す概略図である。図１に示すように、火災報知システム１は、感知器１０、発信機２０、中継装置３０、受信装置４０、及び受信機５０を備えて構成されている。感知器１０、発信機２０、中継装置３０、及び受信装置４０は、建物の各階における天井や壁に配置されている。このうち、感知器１０及び発信機２０は、それぞれ法定の設置間隔を満たすように、各階毎に１台又は複数台が配置されている。中継装置３０は、各階において中継対象となる感知器１０及び発信機２０と、受信装置４０との相互間に配置されている。受信装置４０は、各階に１台配置されている。受信機５０は、建物に１台配置されており、例えば建物の管理人室に設置されている。また、これら受信装置４０及び受信機５０は、信号線２、４及び電源線３により接続されている。
【００３３】
ここで、感知器１０は、火災を報知する火災信号、又は火災からの復旧を報知する火災復旧信号を送信する無線式の火災報知端末である。発信機２０は、火災信号、火災復旧信号、又は当該発信機２０から送信される信号の送信状況を確認するための試験信号を送信する無線式の火災報知端末である。また、発信機２０は、受信機５０から受信装置４０を介して送信される確認信号であって、受信機５０が発信機２０から送信された火災信号の受信を確認したことを通知するための確認信号を受信し、又は受信機５０から受信装置４０を介して送信される復旧確認信号であって、受信機５０が発信機２０から送信された火災復旧信号の受信を確認したことを通知するための復旧確認信号を受信する無線式の火災報知端末である。中継装置３０は、感知器１０又は発信機２０から火災信号、火災復旧信号、又は試験信号を受信し、当該受信した火災信号、火災復旧信号、又は試験信号を受信装置４０に中継するものである。また、中継装置３０は、受信機５０から受信装置４０を介して送信された確認信号又は復旧確認信号を受信し、当該受信した確認信号又は復旧確認信号を発信機２０に中継するものである。受信装置４０は、感知器１０、発信機２０、及び／又は中継装置３０から送信された火災信号、火災復旧信号、又は試験信号を受信し、当該受信した火災信号を信号線２を介して受信機５０に出力するものである。また、受信装置４０は、受信機５０から信号線４を介して確認信号を入力し、確認信号又復旧確認信号を送信するものである。受信機５０は、受信装置４０から信号線２を介して入力された火災信号に基づいて所定処理を行うものである。また、電源線３を介して受信装置４０への電力供給を行うものである。また、受信機５０は、確認信号を信号線４を介して受信装置４０に出力するものである。なお、受信装置４０及び受信機５０は、特許請求の範囲における他の機器に対応するものである。
【００３４】
次に、信号線２、４を介した各端末機器の接続形態について説明する。本実施の形態において、火災報知システム１は、いわゆるＰ型１級の火災報知システムとして構成されている。図２は、受信装置４０と受信機５０との信号線２、４の接続状況を示す概要図である。図２に示すように、信号線２はＡ線２ａ、Ｃ線２ｂ、及びＬ線２ｃを含んで構成されており、信号線４はＡ線４ａ、及びＣ線４ｂを含んで構成されている。これらＡ線２ａ、４ａ、Ｃ線２ｂ、４ｂ、及びＬ線２ｃは、受信装置４０及び受信機５０を相互に接続する。また、Ａ線２ａ、４ａ、及びＣ線４ｂは、建物の各階毎に設けられた受信装置４０に渡り接続されている（図示省略）。Ａ線２ａとＣ線２ｂ（以下「Ａ−Ｃ線」２ｄという）は、受信装置４０にて受信された発信機２０の火災信号を受信機５０に向けて送信する線である。また、Ｌ線２ｃとＣ線２ｂ（以下「Ｌ−Ｃ線」２ｅという）は、受信装置４０にて受信された感知器１０の火災信号を送信する線であり、発信機２０の火災信号を送信する線でもある。また、Ａ線４ａとＣ線４ｂ（以下「Ａ−Ｃ線」４ｄという）は、受信機５０にて出力された確認信号を受信装置４０に向けて送信する線である。各系統（ここでは、建物の各階毎）のＬ−Ｃ線２ｅとＡ−Ｃ線４ｄにおける終端には、図示しない終端抵抗が設けられている。
【００３５】
（構成−火災報知システム−感知器）
次に、感知器１０の構成について説明する。感知器１０は、センサ部、無線送信部、及び電源部を備えて構成されている（図示省略）。センサ部は、温度や煙濃度等を検知するための検知手段である。無線送信部は、火災信号又は火災復旧信号を送信する無線送信手段である。この無線送信部は、例えば、図示しない火災判断部によって、センサ部における温度や煙濃度の検知結果をもとに、この検知結果が閾値よりも高いと判断された場合に、無線送信部は火災信号を送信する。また、当該火災信号が送信された後、図示しない火災判断部によって、検知結果が閾値よりも低いと判断された場合に、無線送信部は火災復旧信号を送信する。また、この無線送信部は、例えば、感知器１０が備える公知の記憶手段（図示省略）に予め記憶された情報であって、当該感知器１０を一意に識別する感知器識別情報を火災信号又は火災復旧信号に含めて送信する。ここで、公知の記憶手段に記憶される、感知器識別情報としては、例えば感知器１０のアドレス番号又はシリアル番号を用いることができる（後述する発信機２０の発信機識別情報についても同様）。電源部は、感知器１０の各部に電力を供給する電池であり、例えば公知の乾電池や充電池を備えて構成される（後述する発信機２０の電源部２５、及び中継装置３０の電源部３４についても同様）。
【００３６】
（構成−火災報知システム−発信機）
次に、発信機２０の構成について説明する。図３は、発信機２０の電気的構成を示したブロック図である。図３に示すように、発信機２０は、押しボタン部２１、テストスイッチ部２２、無線通信部２３、表示部２４、電源部２５、制御部２６、及び記憶部２７を備えて構成されている。なお、電源部２５の構成については上述の感知器１０における電源部と同様であるので、特記する部分を除き説明を省略する。
【００３７】
押しボタン部２１は、ユーザによる火災信号又は火災復旧信号の送信指示を受け付ける操作手段である。また、テストスイッチ部２２は、試験信号の送信指示をユーザから受け付ける試験操作手段であり、例えばリードスイッチ等を備えて構成されている。
【００３８】
無線通信部２３は、火災信号、火災復旧信号、又は試験信号を送信する無線送信手段であり、確認信号又は復旧確認信号を受信する無線受信手段である。この無線通信部２３は、ユーザによって押しボタン部２１が押し下げられた場合に、未確認情報を火災信号に付加して送信する。また、無線通信部２３は、当該無線通信部２３が確認信号を受信した場合に、後述する未確認情報に代えて、後述する確認済情報を火災信号に付加して送信する。ここで、「未確認情報」とは、無線通信部２３が受信機５０から受信装置４０を介して送信された確認信号を受信していないことを示す情報である。また、「確認済情報」とは、無線通信部２３が受信機５０から受信装置４０を介して送信された確認信号を受信したことを示す情報である。これら未確認情報及び確認済情報としては、例えば、未確認情報の場合には「ＯＦＦ」を示し、確認済情報の場合には「ＯＮ」を示す確認識別フラグが用いられる。また、無線通信部２３は、ユーザによって押しボタン部２１が押し下げられる前の状態に復旧された場合に火災信号の送信を停止すると共に、火災復旧信号を送信する。また、無線通信部２３は、ユーザによってテストスイッチ部２２がＯＮ状態にされた場合に試験信号を送信する。また、この無線通信部２３は、無線信号の受信回路（図示せず）を備え、受信回路を介して受信機５０から受信装置４０を介して送信された確認信号又は復旧確認信号の受信を行う。
【００３９】
表示部２４は、発信機２０に関する情報を表示するための表示手段であり、例えば公知のＬＥＤランプ、蛍光ランプ等を備えて構成される。
【００４０】
制御部２６は、発信機２０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成される（後述する中継装置３０の制御部３５、及び受信装置４０の制御部４７についても同様）。
【００４１】
この制御部２６は、機能概念的に火災信号生成部２６ａを備えている。火災信号生成部２６ａは、押しボタン部２１がユーザから火災信号の送信指示を受け付けた場合に、後述する発信機識別情報を後述する記憶部２７から取得し、当該取得した発信機識別情報を火災信号に付加し、又はユーザによって押しボタン部２１が押し下げられる前の状態に復旧された場合に、後述する記憶部２７から取得した後述する発信機識別情報を火災復旧信号に付加する火災信号生成手段である。なお、この制御部２６によって実行される処理の詳細については後述する。
【００４２】
記憶部２７は、当該発信機２０を一意に識別する発信機識別情報等を格納する識別情報格納手段である。この記憶部２７は、書き換え可能な記録媒体を用いて構成され、例えばフラッシュメモリ等の不揮発性記録媒体を用いることができる（後述する中継装置３０の記憶部３６、及び受信装置４０の記憶部４８についても同様）。
【００４３】
（構成−火災報知システム−中継装置）
次に、中継装置３０の構成について説明する。図４は、中継装置３０の電気的構成を示したブロック図である。図４に示すように、中継装置３０は、操作部３１、表示部３２、無線通信部３３、電源部３４、制御部３５、及び記憶部３６を備えている。なお、電源部３４の構成については上述の感知器１０における電源部と同様であるので、特記する部分を除き説明を省略する。
【００４４】
操作部３１は、中継装置３０に対する操作入力を受け付ける操作手段であり、例えばスイッチやタッチパネル等の公知の操作手段を用いて構成される（後述する受信装置４０の操作部４１及び後述する受信機５０の操作部５１についても同様）。
【００４５】
表示部３２は、中継装置３０に関する情報を表示するための表示手段であり、例えば公知の７セグメントディスプレイや液晶ディスプレイ等を備えて構成される（後述する受信装置４０の表示部４２についても同様）。
【００４６】
無線通信部３３は、火災信号、火災復旧信号、試験信号、確認信号、又は復旧確認信号の受信及び送信を行う無線通信手段である。この無線通信部３３は、例えば無線信号の受信回路及び送信回路（いずれも図示せず）を備え、受信回路を介して感知器１０又は発信機２０から送信された火災信号、火災復旧信号、又は試験信号の受信を行い、送信回路を介して受信装置４０への火災信号、火災復旧信号、又は試験信号の送信を行う。また、この無線通信部３３は、受信回路を介して受信機５０から受信装置４０を介して送信された確認信号の受信を行い、送信回路を介して感知器１０又は発信機２０への確認信号又は復旧確認信号の送信を行う。
【００４７】
制御部３５は、中継装置３０の各部を制御する制御手段である。記憶部３６は、制御部３５による制御に必要なプログラム及び各種のデータを記憶する記憶手段である。
【００４８】
（構成−火災報知システム−受信装置）
次に、受信装置４０の構成について説明する。図５は、受信装置４０の電気的構成を概念的に示すブロック図である。図５に示すように、受信装置４０は、操作部４１、表示部４２、無線通信部４３、信号出力部４４、信号入力部４５、電源回路部４６、制御部４７、及び記憶部４８を備えている。なお、操作部４１及び表示部４２の構成については上述の中継装置３０における操作部３１及び表示部３２と同様であるので、特記する部分を除き説明を省略する。
【００４９】
無線通信部４３は、火災信号、火災復旧信号、又は試験信号の受信を行う受信手段であり、確認信号又は復旧確認信号の送信を行う送信手段である。この無線通信部４３は、例えば火災信号、火災復旧信号、又は試験信号の受信回路、及び確認信号又は復旧確認信号の送信回路（いずれも図示せず）を備え、受信回路を介して感知器１０、発信機２０、及び／又は中継装置３０から送信された火災信号、火災復旧信号、又は試験信号の受信を行い、送信回路を介して感知器１０、発信機２０、及び／又は中継装置３０に向けて、後述する信号入力部４５にて入力された確認信号又は復旧確認信号の送信を行う。
【００５０】
信号出力部４４は、感知器１０、発信機２０、及び／又は中継装置３０から受信した火災信号を受信機５０に出力する信号出力手段である。この信号出力部４４は、Ａ−Ｃ出力部４４ａ及びＬ−Ｃ出力部４４ｂを備えて構成されている。Ａ−Ｃ出力部４４ａは、Ａ−Ｃ線２ｄを介して、発信機２０及び／又は中継装置３０から受信した火災信号を受信機５０に出力するＡ−Ｃ出力手段である。Ｌ−Ｃ出力部４４ｂは、Ｌ−Ｃ線２ｅを介して、感知器１０、発信機２０、及び／又は中継装置３０から受信した火災信号を受信機５０に出力するＬ−Ｃ出力手段である。
【００５１】
図６は、信号出力部４４の各端子の接続状況を示す概略図である。図６に示すように、信号出力部４４は、Ａ線出力端子２ａ１、Ａ線入力端子２ａ２、Ｃ線出力端子２ｂ１、Ｃ線入力端子２ｂ２、Ｌ線出力端子２ｃ１、及びＬ線入力端子２ｃ２を備えて構成されている。これらＡ線出力端子２ａ１、Ｃ線出力端子２ｂ１、及びＬ線出力端子２ｃ１は、火災信号を受信機５０に出力するためのものであり、受信機５０側とは逆側（受信装置４０を挟んで受信機５０側と反対に位置する側）のＡ線２ａ、Ｃ線２ｂ、及びＬ線２ｃと各々接続されている。また、これらＡ線入力端子２ａ２、Ｃ線入力端子２ｂ２、及びＬ線入力端子２ｃ２は、火災信号を受信機５０に入力するためのものであり、受信機５０側のＡ線２ａ、Ｃ線２ｂ、及びＬ線２ｃと各々接続されている。
【００５２】
Ｌ線出力端子２ｃ１とＬ線入力端子２ｃ２とを接続するＬ線２ｃには、当該Ｌ線２ｃの接続切替のためのリレー２ｆが設けられている。また、Ｌ線出力端子２ｃ１とＬ線入力端子２ｃ２とを接続するＬ線２ｃとＣ線出力端子２ｂ１とＣ線入力端子２ｂ２とを接続するＣ線２ｂとの間には、これらＬ線２ｃ及びＣ線２ｂの接続切替のためのリレー２ｇが設けられている。このリレー２ｇは、リレー２ｆよりも受信機５０側から近い側に配置されている。また、Ａ線出力端子２ａ１とＡ線入力端子２ａ２とを接続するＡ線２ａとＬ線出力端子２ｃ１とＬ線入力端子２ｃ２とを接続するＬ線２ｃとの間には、これらＡ線２ａ及びＣ線２ｂの接続切替のためのリレー２ｈが設けられている。
【００５３】
ここで、この信号出力部４４が火災信号を受信機５０に対して出力する方法としては、例えば、信号出力部４４が、受信装置４０と接続された信号線２を導通可能にさせたり、又は短絡させることにより、感知器１０又は発信機２０の火災信号を受信機５０に送信する。具体的には、信号出力部４４が通常動作を行う場合には、Ｌ−Ｃ出力部４４ｂは、Ｌ−Ｃ線２ｅが導通可能になるように、Ｌ線２ｃをリレー２ｆにより接続させる。また、信号出力部４４が感知器１０の火災信号を受信機５０に対して出力する場合には、Ｌ−Ｃ出力部４４ｂは、Ｌ−Ｃ線２ｅが短絡するように、当該Ｌ−Ｃ線２ｅをリレー２ｇにより接続させる。また、信号出力部４４が発信機２０の火災信号を受信機５０に対して出力する場合には、Ａ−Ｃ出力部４４ａは、Ａ−Ｃ線２ｄが短絡するように、当該Ａ−Ｃ線２ｄをリレー２ｈにより接続させると共に、Ｌ−Ｃ出力部４４ｂは、Ｌ−Ｃ線２ｅが短絡するように、当該Ｌ−Ｃ線２ｅを公知のリレー２ｇにより接続させる。
【００５４】
図５に戻り、信号入力部４５は、受信機５０から出力された確認信号を受信装置４０に入力する信号入力手段であり、例えば、この信号入力部４５は、受信機５０から出力された確認信号をＡ−Ｃ線４ｄを介して取得し、当該取得した確認信号を後述する記憶部４８に入力する。
【００５５】
電源回路部４６は、電源線３を介して受信機５０から供給された電力を受信装置４０の各部に供給する（なお、電源回路部４６から受信装置４０の各部に対する電力供給線の図示は省略する）。
【００５６】
制御部４７は、受信装置４０の各部を制御する制御手段である。この制御部４７は、機能概念的に識別情報取得部４７ａを備えている。識別情報取得部４７ａは、受信装置４０が火災信号又は火災復旧信号を受信した場合に、当該火災信号又は火災復旧信号から感知器識別情報又は発信機識別情報を取得する識別情報取得手段である。なお、この制御部４７によって実行される処理の詳細については後述する。
【００５７】
記憶部４８は、制御部４７が信号出力部４４によって、火災信号を受信機５０に送信する際に参照するための移報方法テーブル４８ａを備えている。図７は、移報方法テーブル４８ａに格納される情報の内容を例示した表である。図７に示すように、移報方法テーブル４８ａには、テーブル項目「端末ＩＤ」、「種別」、及び「移報方法」に対応する情報が相互に関連付けて格納される。項目「端末ＩＤ」に対応して格納される情報は、感知器１０又は発信機２０を一意に識別する識別情報であり、例えば感知器１０等のアドレス番号（図９では「０１０１」、「０１０２」、「０１０３」等）が格納される。項目「種別」に対応して格納される情報は、機器の種別を特定する種別情報であり、例えば「感知器」、「発信機」等が格納される。項目「移報方法」に対応して格納される情報は、感知器１０又は発信機２０の火災信号の移報方法を特定するための移報方法情報であり、例えば「Ｌ−Ｃ線短絡」、「Ｌ−Ｃ線、及びＡ−Ｃ線短絡」等が格納される。
【００５８】
（構成−火災報知システム−受信機）
次に、受信機５０の構成について説明する。図８は、受信機５０の電気的構成を概念的に示すブロック図である。図８に示すように、受信機５０は、操作部５１、表示部５２、音声出力部５３、通信部５４、信号入力部５５、信号出力部５６、電源回路部５７、制御部５８、及び記憶部５９を備えている。なお、操作部５１の構成については上述の中継装置３０における操作部３１と同様であり、電源回路部５７の構成については上述の受信装置４０の電源回路部４６と同様であるので、特記する部分を除き説明を省略する。
【００５９】
表示部５２は、火災発生箇所の表示や警報表示等を行うための表示手段であり、例えば公知の７セグメントディスプレイや液晶ディスプレイ、又はＬＥＤランプや蛍光ランプ等を備えて構成される。
【００６０】
音声出力部５３は、火災発生を音声で出力するための音声出力手段であり、例えば公知のブザーやベル等を備えて構成される。
【００６１】
通信部５４は、所定情報の通信や移報を行う通信手段であり、例えば、この通信部５４は、他の設備（例えば、建物の内部にある管理センター内に設置された受信機等）に向けて火災発生箇所に関する情報を送信したり、他の設備から避難場所や避難経路に関する避難情報等を受信する。
【００６２】
信号入力部５５は、受信装置４０から出力された火災信号を受信機５０に入力する信号入力手段であり、例えば、この信号入力部５５は、受信装置４０から出力された発信機２０の火災信号をＡ−Ｃ線２ｄ及びＬ−Ｃ線２ｅを介して取得し、当該取得した火災信号を後述する記憶部５９に入力したり、受信装置４０から出力された発信機２０の火災信号をＬ−Ｃ線２ｅを介して取得し、当該取得した火災信号を後述する記憶部５９に入力する。
【００６３】
信号出力部５６は、確認信号を受信装置４０に出力する信号出力手段であり、例えば、この信号出力部５６は、確認信号をＡ−Ｃ線４ｄを介して受信装置４０に出力する。
【００６４】
図９は、信号出力部５６の各端子の接続状況を示す概略図である。図９に示すように、信号出力部５６は、Ａ線出力端子４ａ１、Ａ線入力端子４ａ２、Ｃ線出力端子４ｂ１、及びＣ線入力端子４ｂ２を備えて構成されている。これらＡ線出力端子４ａ１及びＣ線出力端子４ｂ１は確認信号を受信装置４０に出力するためのものであり、受信装置４０側とは逆側（受信機５０を挟んで受信装置４０側と反対に位置する側）のＡ線４ａ及びＣ線４ｂと各々接続されている。また、これらＡ線入力端子４ａ２及びＣ線入力端子４ｂ２は、確認信号を受信装置４０に入力するためのものであり、受信装置４０側のＡ線４ａ及びＣ線４ｂと各々接続されている。
【００６５】
Ａ線出力端子４ａ１とＡ線入力端子４ａ２とを接続するＡ線４ａとＣ線出力端子４ｂ１とＣ線入力端子４ｂ２とを接続するＣ線４ｂとの間には、これらＡ線４ａ及びＣ線４ｂの接続切替のためのリレー４ｆが設けられている。
【００６６】
ここで、この信号出力部５６が確認信号を受信装置４０に対して出力する方法としては、例えば、信号出力部５６が、受信機５０と接続された信号線４を導通可能にさせたり、又は短絡させることにより、確認信号を受信装置４０に送信する。具体的には、信号出力部５６が通常動作を行う場合には、当該信号出力部５６は、Ａ−Ｃ線４ｄが導通可能となるように、当該Ａ−Ｃ線４ｄをリレー４ｆにより切り離す。また、信号出力部５６が確認信号を受信機５０に対して出力する場合には、当該信号出力部５６は、Ａ−Ｃ線４ｄが短絡するように、当該Ａ−Ｃ線４ｄをリレー４ｆにより接続させる。
【００６７】
図８に戻り、制御部５８は、受信機５０の各部を制御する制御手段である。記憶部５９は、制御部５８による制御に必要なプログラム及び各種のデータを記憶する記憶手段である。
【００６８】
（処理−火災報知システムを構成する各機器が実行する中継処理について）
次に、火災報知システム１を構成する各機器が実行する中継処理について説明する。図１に示すように、建物の３階に感知器１０、発信機２０、中継装置３０、及び受信装置４０が設置されている場合を例に挙げて説明する。図１０は、発信機２０、中継装置３０、及び受信装置４０によって実行される中継処理のフローチャートである（なお、中継装置３０の動作の図示は省略する）。図１１は、図１０に続く発信機２０、中継装置３０、及び受信装置４０によって実行される中継処理のフローチャートである。なお、以下の説明では、「ステップ」を「Ｓ」と略記する。また、発信機２０のステップを「ＳＡ」、受信装置４０のステップを「ＳＢ」、及び受信機５０のステップを「ＳＣ」と略記する。また、受信装置４０の動作中に発生したイベントは、受信装置４０の制御部４７によって記憶部４８に記録されるものとする。
【００６９】
図１０及び図１１に示すように、発信機２０の押しボタン部２１がユーザによって押し下げられたことによって、発信機２０の無線通信部２３は、未確認情報を火災信号に付加し（ＳＡ１）、当該未確認情報が付加された火災信号を無線で送信する（ＳＡ２）。なお、発信機２０の押しボタン部２１が押し下げられる前の状態に復旧するまで、押し下げられた状態を維持している間、発信機２０の無線通信部２３は、火災信号を継続してまたは断続的に送信する。
【００７０】
次いで、受信装置４０の無線通信部４３が発信機２０、及び／又は中継装置３０から未確認情報が付加された火災信号を無線で受信した場合（ＳＢ１）、受信装置４０の信号出力部４４は、当該受信した発信機２０の火災信号の移報を信号線２を介して受信機５０に対して行う（ＳＢ２）。
【００７１】
次に、受信機５０の信号入力部５５が受信装置４０から発信機２０の火災信号の移報を信号線２を介して受信した場合（ＳＣ１）、受信機５０の信号出力部５６は、確認信号を信号線４を介して受信装置４０に送信する（ＳＣ２）。その後、受信装置４０の信号入力部４５が受信機５０から信号線４を介して確認信号を受信した場合（ＳＢ３）、受信装置４０の無線通信部４３は、当該受信した確認信号を無線で送信する（ＳＢ４）。
【００７２】
続いて、発信機２０の無線通信部２３が受信装置４０、及び／又は中継装置３０から確認信号を無線で受信した場合（ＳＡ３）、発信機２０の無線通信部２３は、未確認情報に代えて、確認済情報を火災信号に付加し（ＳＡ４）、当該確認済情報が付加された火災信号を無線で送信する（ＳＡ５）。その後、受信装置４０の無線通信部４３が発信機２０、及び／又は中継装置３０から確認済情報が付加された火災信号を無線で受信した場合（ＳＢ５）、受信装置４０の信号出力部４４は、当該受信した発信機２０の火災信号の移報を信号線２を介して受信機５０に対して継続して行う（ＳＢ６）。
【００７３】
次に、受信機５０の信号入力部５５が受信装置４０から発信機２０の火災信号の移報を信号線２を介して継続して受信した場合（ＳＣ３）、受信機５０の信号出力部５６は、確認信号を信号線４を介して受信装置４０に継続して送信する（ＳＣ４）。その後、受信装置４０の信号入力部４５が受信機５０から信号線４を介して確認信号を継続して受信した場合（ＳＢ７）、受信装置４０の無線通信部４３は、発信機２０、及び／又は中継装置３０から送信される信号の受信を待機する。
【００７４】
続いて、発信機２０の押しボタン部２１がユーザによって押し下げられた状態から押し下げられる前の状態に復旧されたことによって、発信機２０の無線通信部２３は、火災復旧信号を無線で送信する（ＳＡ６）。
【００７５】
次いで、受信装置４０の無線通信部４３が発信機２０、及び／又は中継装置３０から火災復旧信号を無線で受信した場合（ＳＢ８）、受信装置４０の信号出力部４４が、ＳＢ２の発信機２０の火災信号の移報を行っている状態から当該発信機２０の火災信号の移報を行う前の状態に復旧させる、すなわち発信機２０の火災信号の移報を停止する（ＳＢ９）。
【００７６】
次に、ＳＢ９によって、受信機５０の信号出力部５６が、受信装置４０への確認信号の送信を停止する（ＳＣ５）。この場合には、受信装置４０の無線通信部４３は、復旧確認信号を無線で送信する（ＳＢ１０）。その後、発信機２０の無線通信部２３は、受信装置４０から復旧確認信号を無線で受信する（ＳＡ７）。これにて中継処理が終了する。
【００７７】
（処理−中継処理）
次に、発信機２０、受信装置４０、及び受信機５０によって実行される中継処理を、図１０及び図１１に示すＳＡ１〜ＳＡ７、ＳＢ１〜ＳＢ１０、ＳＣ１〜ＳＣ５の中継処理と関連づけて説明する。図１２は、発信機２０によって実行される中継処理のフローチャートである。また、図１３は、受信装置４０によって実行される中継処理のフローチャートである。また、図１４は、受信機５０によって実行される中継処理のフローチャートである。これら中継処理の実行タイミングは任意で、例えば、発信機２０又は受信機５０の中継処理は当該発信機２０の電源が投入された場合に実行され、受信装置４０の中継処理は当該受信装置４０の操作部４１を介して中継処理を実行する旨の操作入力がされた場合に実行される。また、受信装置４０と受信機５０とを接続する信号線２、４は導通可能な状態であるものとする。なお、以下の説明では、発信機２０のステップを「ＳＤ」、受信装置４０のステップを「ＳＥ」、受信機５０のステップを「ＳＦ」と略記する。
【００７８】
（処理−中継処理−発信機）
最初に、発信機２０の中継処理について説明する。図１２に示すように、まず、発信機２０の制御部２６は、押しボタン部２１がユーザから火災信号の送信指示を受け付けたか否かを監視する（ＳＤ１）。
【００７９】
ここで、ユーザによって発信機２０の押しボタン部２１が押し下げられたことにより、当該押しボタン部２１が火災信号の送信指示を受け付けた場合に（ＳＤ１、Ｙｅｓ）、発信機２０の火災信号生成部２６ａは、発信機識別情報を記憶部２７から取得し、当該取得した発信機識別情報を火災信号に付加する（ＳＤ２）。さらに、発信機２０の制御部２６は、無線通信部２３によって未確認情報を火災信号に付加させ（ここでは、確認識別フラグを「ＯＦＦ」として火災信号に付加させる）（ＳＡ１）（ＳＤ３）、当該未確認情報が付加された火災信号を無線で送信させる（ＳＡ２）（ＳＤ４）。これにより、信号線を介して受信装置４０に火災信号を送信する有線式の発信機に比べて信号線の敷設等を省くことができ、当該発信機２０の設置コストや設置の手間を低減することができる。また、発信機２０の無線通信部２３は、当該無線通信部２３が火災信号生成部２６ａにて発信機識別情報が付加された火災信号を無線で送信するので、例えば受信装置４０は発信機２０の火災信号を容易に識別することができる。
【００８０】
次に、発信機２０の制御部２６は、ユーザによって押しボタン部２１が火災信号の送信指示を受け付ける前の状態に復旧されたか否かを監視する（ＳＤ５）。ここで、ユーザによる押しボタン部２１の操作がなされないことで、押しボタン部２１が火災信号の送信指示を受け付けた状態を維持する場合（ＳＤ５、Ｎｏ）、発信機２０の制御部２６は、無線通信部２３が確認信号を無線で受信したか否かを監視する（ＳＤ６）。
【００８１】
ここで、発信機２０の無線通信部２３が確認信号を無線で受信していない場合（ＳＤ６、Ｎｏ）、発信機２０の制御部２６は、所定時間（例えば１分）が経過したか否かを監視する（ＳＤ７）。その結果、所定時間が経過していない場合（ＳＤ７、Ｎｏ）、発信機２０の制御部２６は、ＳＤ５に移行する。一方、所定時間が経過した場合（ＳＤ７、Ｙｅｓ）、発信機２０の制御部２６は、ＳＤ４に移行する。これにより、発信機２０の無線通信部２３は確認信号を受信するまで火災信号の送信を繰り返すので、受信装置４０の火災信号の受信の確実性を向上させることができる。
【００８２】
一方、発信機２０の無線通信部２３が確認信号を無線で受信した場合（ＳＤ６、Ｙｅｓ）（ＳＡ３）、発信機２０の制御部２６は、表示部２４によって確認信号を受信した旨を表示させる（ＳＤ８）。これにより、ユーザに対して火災信号が発信機２０から受信機５０へ正常に送信されたことを提示できる。次いで、発信機２０の制御部２６は、無線通信部２３によって、未確認情報に代えて確認済情報を火災信号に付加させ（ここでは、確認識別フラグを「ＯＮ」として火災信号に付加させる）（ＳＡ４）（ＳＤ９）、当該確認済情報が付加された火災信号を無線で送信させる（ＳＡ５）（ＳＤ１０）。これにより、発信機２０が確認信号を受信したことを中継装置３０や受信装置４０等に通知することができ、他の機器の火災信号の受信の確実性を一層向上させることができる。その後、発信機２０の制御部２６は、ＳＤ５に移行する。
【００８３】
一方で、ユーザによって押しボタン部２１が元の位置まで押し上げられることで、押しボタン部２１が火災信号の送信指示を受け付ける前の状態に復旧された場合（ＳＤ５、Ｙｅｓ）、発信機２０の火災信号生成部２６ａは、発信機識別情報を記憶部２７から取得し、当該取得した発信機識別情報を火災復旧信号に付加し（ＳＤ１１）、当該発信機識別情報が付加された火災復旧信号を無線通信部２３によって無線で送信させる（ＳＡ６）（ＳＤ１２）。
【００８４】
次に、発信機２０の制御部２６は、無線通信部２３が復旧確認信号を無線で受信したか否かを監視する（ＳＤ１３）。ここで、発信機２０の無線通信部２３が復旧確認信号を無線で受信していない場合（ＳＤ１３、Ｎｏ）、発信機２０の制御部２６は、所定時間（例えば１分）が経過したか否かを監視する（ＳＤ１４）。その結果、所定時間が経過していない場合（ＳＤ１４、Ｎｏ）、発信機２０の制御部２６は、ＳＤ１３に移行する。一方、所定時間が経過した場合（ＳＤ１４、Ｙｅｓ）、発信機２０の制御部２６は、ＳＤ１２に移行する。これにより、発信機２０の無線通信部２３は復旧確認信号を受信するまで火災復旧信号の送信を繰り返すので、受信装置４０の火災復旧信号の受信の確実性を向上させることができる。
【００８５】
一方、無線通信部２３が復旧確認信号を無線で受信した場合（ＳＡ７）（ＳＤ１３、Ｙｅｓ）、発信機２０の制御部２６は、ＳＤ１に移行する。
【００８６】
（処理−中継処理−受信装置）
次に、受信装置４０の中継処理について説明する。図１３に示すように、まず、受信装置４０の制御部４７は、未確認情報が付加された発信機２０の火災信号を無線通信部４３が無線で受信したか否かを監視する（ＳＥ１）。具体的には、受信装置４０の制御部４７は、無線通信部４３が受信した火災信号に付加された確認識別フラグが「ＯＦＦ」であるか否かを判定する（以下、後述するＳＥ７も同様）。
【００８７】
ここで、未確認情報が付加された発信機２０の火災信号を無線通信部４３が無線で受信した場合（具体的には、制御部４７にて火災信号に付加された確認識別フラグが「ＯＦＦ」であると判定された場合）（ＳＢ１）（ＳＥ１、Ｙｅｓ）、受信装置４０の識別情報取得部４７ａは当該無線通信部４３にて受信した発信機２０の火災信号の発信機識別情報を取得する（ＳＥ２）。そして、受信装置４０の制御部４７は移報方法テーブル４８ａを参照し、当該識別情報取得部４７ａにて取得された発信機識別情報に応じて、信号出力部４４によって信号線２を短絡させる（ＳＢ２）（ＳＥ３）。具体的には、受信装置４０の制御部４７は、Ａ−Ｃ出力部４４ａによってＡ−Ｃ線２ｄを短絡させると共に、Ｌ−Ｃ出力部４４ｂによってＬ−Ｃ線２ｅを短絡させる。なお、受信装置４０の制御部４７は、表示部４２によってＡ−Ｃ線２ｄ及びＬ−Ｃ線２ｅが短絡状態である旨を表示させてもよい。これにより、ユーザに対して信号線２が短絡状態であることを提示することができる。
【００８８】
続いて、受信装置４０の制御部４７は、信号入力部４５が信号線４を介して確認信号を受信したか否かを監視する（ＳＥ４）。ここで、受信装置４０の信号入力部４５が信号線４を介して確認信号を受信した場合（ＳＢ３）（ＳＥ４、Ｙｅｓ）、受信装置４０の制御部４７は、無線通信部４３によって当該受信した確認信号を無線で送信させる（ＳＢ４）（ＳＥ５）。
【００８９】
次に、受信装置４０の制御部４７は、確認済情報が付加された発信機２０の火災信号を無線通信部４３が無線で受信したか否かを監視する（ＳＥ６）。具体的には、受信装置４０の制御部４７は、無線通信部４３が受信した火災信号に付加された確認識別フラグが「ＯＮ」であるか否かを判定する。その結果、確認済情報が付加された発信機２０の火災信号を無線通信部４３が無線で受信していない場合（ＳＥ６、Ｎｏ）、受信装置４０の制御部４７は、未確認情報が付加された発信機２０の火災信号を無線通信部４３が受信したか否かを監視する（ＳＥ７）。
【００９０】
ここで、未確認情報が付加された発信機２０の火災信号を無線通信部４３が無線で受信した場合（ＳＥ７、Ｙｅｓ）、受信装置４０の制御部４７は、ＳＥ５に移行する。これにより、受信装置４０の制御部４７が、無線通信部４３によって確認信号を再送信させるので、発信機２０の確認信号の受信の確実性を向上させることができる。一方、未確認情報が付加された発信機２０の火災信号を無線通信部４３が無線で受信していない場合（ＳＥ７、Ｎｏ）、受信装置４０の制御部４７は、所定時間（例えば１分）が経過したか否かを監視する（ＳＥ８）。ここで、所定時間が経過した場合（ＳＥ８、Ｙｅｓ）、受信装置４０の制御部４７は、ＳＥ５に移行する。
【００９１】
一方で、確認済情報が付加された発信機２０の火災信号を無線通信部４３が無線で受信した場合（具体的には、制御部４７にて火災信号に付加された確認識別フラグが「ＯＮ」であると判定された場合）（ＳＢ５）（ＳＥ６、Ｙｅｓ）、又はＳＥ８の処理にて所定時間が経過していない場合（ＳＥ８、Ｎｏ）、受信装置４０の制御部４７は、無線通信部４３が発信機２０の火災復旧信号を受信したか否かを監視する（ＳＥ９）。ここで、受信装置４０の無線通信部４３が発信機２０の火災復旧信号を受信していない場合（ＳＥ９、Ｎｏ）、受信装置４０の制御部４７は、ＳＥ６に移行する。なお、ＳＥ３〜ＳＥ９の処理の間、信号線２が短絡した状態が維持されるので（ＳＢ６）、受信装置４０の信号入力部４５は信号線４を介して確認信号を継続して受信する（ＳＢ７）。また、ＳＥ６にて確認済情報が付加された発信機２０の火災信号を無線通信部４３が無線で受信した場合、無線通信部４３からの確認信号の送信が停止するので、発信機２０と受信装置４０との間のトラフィック、中継装置３０と受信装置４０との間のトラフィック等を減らすことができる。
【００９２】
一方、受信装置４０の無線通信部４３が発信機２０の火災復旧信号を受信した場合（ＳＢ８）（ＳＥ９、Ｙｅｓ）、受信装置４０の識別情報取得部４７ａは当該無線通信部４３にて受信した発信機２０の火災復旧信号の発信機識別情報を取得する（ＳＥ１０）。そして、受信装置４０の制御部４７は移報方法テーブル４８ａを参照し、当該識別情報取得部４７ａにて取得された発信機識別情報に応じて、信号出力部４４によって信号線２を短絡させた状態から短絡させる前の状態に復旧させる（ＳＢ９）（ＳＥ１１）。具体的には、受信装置４０の制御部４７はＡ−Ｃ出力部４４ａによってＡ−Ｃ線２ｄを短絡状態から導通可能な状態へ復旧させると共に、Ｌ−Ｃ出力部４４ｂによってＬ−Ｃ線２ｅを短絡状態から導通可能な状態へ復旧させる。
【００９３】
続いて、受信装置４０の制御部４７は、信号入力部４５が信号線４を介して確認信号を受信したか否かを監視する（ＳＥ１２）。ここで、受信装置４０の信号入力部４５が信号線４を介して確認信号を受信しなくなった場合（ＳＥ１２、Ｎｏ）、受信装置４０の制御部４７は、無線通信部４３によって当該受信した復旧確認信号を無線で送信させる（ＳＢ１０）（ＳＥ１３）。
【００９４】
次いで、受信装置４０の制御部４７は、無線通信部４３が発信機２０の火災復旧信号を受信したか否かを監視する（ＳＥ１４）。ここで、受信装置４０の無線通信部４３が発信機２０の火災復旧信号を受信した場合（ＳＥ１４、Ｙｅｓ）、受信装置４０の制御部４７は、ＳＥ１３に移行する。
【００９５】
一方、受信装置４０の無線通信部４３が発信機２０の火災復旧信号を受信しない場合（ＳＥ１４、Ｎｏ）、受信装置４０の制御部４７は、所定時間（例えば１分）が経過したか否かを監視する（ＳＥ１５）。ここで、所定時間が経過していない場合（ＳＥ１５、Ｎｏ）、受信装置４０の制御部４７は、ＳＥ１４に移行する。一方、所定時間が経過した場合（ＳＥ１５、Ｙｅｓ）、その後、受信装置４０の制御部４７は、ＳＥ１に移行する。
【００９６】
（処理−中継処理−受信機）
次に、受信機５０の中継処理について説明する。図１４に示すように、まず、受信機５０の制御部５８は、信号入力部５５が火災信号の移報を信号線２を介して受信したか否かを監視する（ＳＦ１）。
【００９７】
ここで、信号入力部５５が火災信号の移報を信号線２を介して受信した場合（ＳＣ１、ＳＣ３）（ＳＦ１、Ｙｅｓ）、受信機５０の制御部５８は、ＳＦ１にて受信した移報が発信機２０の移報であるか否かを判定する（ＳＦ２）。具体的には、受信機５０の制御部５８は、Ａ−Ｃ出力部４４ａのＡ−Ｃ線２ｄが短絡状態であり、かつＬ−Ｃ出力部４４ｂのＬ−Ｃ線２ｅが短絡状態であるか否かを判定させる。その結果、ＳＦ１にて受信した移報が発信機２０の移報でなかった場合（ＳＣ１、ＳＣ３）（ＳＦ２、Ｎｏ）、受信機５０の制御部５８は、ＳＦ１に移行する。
【００９８】
一方、ＳＦ１にて受信した移報が発信機２０の移報であった場合（ＳＦ２、Ｙｅｓ）、受信機５０の制御部５８は、信号出力部５６によって信号線４を短絡させる（ＳＣ２、ＳＣ４）（ＳＦ３）。具体的には、受信機５０の制御部５８は、信号出力部５６によってＡ−Ｃ線４ｄを短絡させる。
【００９９】
次に、受信機５０の制御部５８は、信号入力部５５が発信機２０の火災信号の移報を信号線２を介して受信しているか否かを監視する（ＳＦ４）。ここで、受信機５０の信号入力部５５が発信機２０の火災信号の移報を信号線２を介して受信している場合（ＳＦ４、Ｙｅｓ）、受信機５０の制御部５８は、ＳＦ３に移行する。
【０１００】
一方で、信号入力部５５が発信機２０の火災信号の移報を信号線２を介して受信していない場合（ＳＦ４、Ｎｏ）、受信機５０の制御部５８は、信号出力部５６によって信号線４を短絡させた状態から短絡させる前の状態に復旧させる（ＳＣ５）（ＳＦ５）。具体的には、受信機５０の制御部５８は、信号出力部５６によってＡ−Ｃ線４ｄを短絡状態から導通可能な状態へ復旧させる。その後、受信機５０の制御部５８は、ＳＦ１に移行する。
【０１０１】
（効果）
このように実施の形態１によれば、発信機２０は、ユーザによる火災信号の送信指示を受け付ける押しボタン部２１と、この押しボタン部２１がユーザから火災信号の送信指示を受け付けた場合には、火災信号を無線にて送信し、かつ確認信号を無線で受信する無線通信部２３とを備えるので、信号線がなくても他の機器に火災信号を送信したり、確認信号を受信することができ、有線式の発信機と比べて設置コスト及び設置の手間を低減することができる。
【０１０２】
また、発信機２０の無線通信部２３は、発信機２０の火災信号生成部２６ａにて発信機識別情報が付加された火災信号を無線にて送信するので、発信機２０の火災信号を容易に識別でき、火災の位置を一層容易に特定することができる。
【０１０３】
また、発信機２０の無線通信部２３は、未確認情報が付加された火災信号を当該無線通信部２３が無線で送信した後に、当該無線通信部２３が所定時間内に確認信号を受信しなかった場合には、当該未確認情報が付加された火災信号を無線で再送信するので、他の機器の火災信号の受信の確実性を向上させることができ、有線式の発信機と同等の通信の安定性を確保することができる。
【０１０４】
また、発信機２０の無線通信部２３は、当該無線通信部２３が確認信号を受信した場合に、未確認情報に代えて、確認済情報を火災信号に付加して無線で送信するので、他の機器の火災信号の受信の確実性を一層向上させることができ、有線式の発信機と同等の通信の安定性を一層確保することができる。
【０１０５】
また、発信機２０は、無線通信部２３が確認信号を受信した場合に、その旨を表示する表示部２４を備えるので、ユーザに対して発信機２０が確認信号を受信したことを提示でき、受信機５０が火災信号を受信したことをユーザが容易に確認できる。
【０１０６】
また、発信機２０は、ユーザによる火災信号の送信指示を受け付ける押しボタン部２１と、この押しボタン部２１がユーザから火災信号の送信指示を受け付けた場合には、火災信号を無線にて送信し、確認信号を無線で受信する無線通信部２３とを備え、受信装置４０は、確認信号を送信するための無線通信部４３と、受信機５０が信号線２を介して発信機２０の火災信号を受信した場合に、当該受信機５０から信号線４を介して送信された確認信号を無線通信部４３によって送信させる制御部４７と、を備えるので、信号線がなくても他の機器に火災信号を送信したり、確認信号を受信することができ、有線式の発信機を備えて構成される火災報知システム１と比べて設置コスト及び設置の手間を低減することができる。
【０１０７】
また、受信装置４０の制御部４７は、受信装置４０が発信機２０から確認済情報が付加された火災信号を受信した場合に、無線通信部４３による確認信号の送信を停止させるので、発信機２０と受信装置４０との間のトラフィック、中継装置３０と受信装置４０との間のトラフィック等を減らすことができ、各機器の通信効率を向上させることができる。
【０１０８】
また、受信装置４０の制御部４７は、無線通信部４３が確認信号を送信した後に、受信装置４０が発信機２０から未確認情報が付加された火災信号を受信した場合には、当該確認信号を無線通信部４３によって再送信させるので、発信機２０の確認信号の受信の確実性を向上させることができ、有線式の発信機を備えて構成される火災報知システム１と同等の通信の安定性を確保することができる。
〔実施の形態２〕
次に、実施の形態２について説明する。この形態は、発信機が他の機器から確認信号を受信した場合に、発信機が火災信号を送信しない形態である。なお、実施の形態１と略同様の構成要素については、必要に応じて、実施の形態１で用いたのと同一の符号又は名称を付してその説明を省略する。
【０１０９】
（構成−火災報知システム）
実施の形態２に係る火災報知システム１は、図１に示した実施の形態１の火災報知システム１とほぼ同様に構成でき、その構成の説明は省略する。
【０１１０】
（処理−火災報知システムを構成する各機器が実行する中継処理について）
火災報知システム１を構成する各機器が実行する中継処理について説明する。実施の形態１と同様に、図１に示す建物の３階に発信機２０、中継装置３０、及び受信装置４０が設置されている場合を例に挙げて説明する。図１５は、発信機２０、中継装置３０、及び受信装置４０によって実行される中継処理のフローチャートである。ただし、この中継処理におけるＳＡ１〜ＳＡ３、ＳＡ５、ＳＢ１〜ＳＢ４、ＳＢ５〜ＳＢ７、ＳＣ１〜ＳＣ３は、図１０及び図１１に示した実施の形態１の処理のＳＡ１〜ＳＡ３、ＳＡ７、ＳＢ１〜ＳＢ４、ＳＢ８〜ＳＢ１０、ＳＣ１、ＳＣ２、ＳＣ５と同じであるため、その説明を省略する。なお、実施の形態１と異なる処理としては、ＳＡ３の処理後、発信機２０の無線通信部２３は、未確認情報を火災復旧信号に付加し（ＳＡ４）、当該未確認情報が付加された火災復旧信号を無線で送信する（ＳＡ５）。
【０１１１】
（処理−中継処理）
次に、発信機２０、受信装置４０、及び受信機５０によって実行される中継処理について説明する。実施の形態２に係る発信機２０、受信装置４０、及び受信機５０によって実行される中継処理は、発信機２０の中継処理を除き、図１３及び図１４に示した実施の形態１の受信装置４０及び受信機５０の中継処理とそれぞれ同じである。よって、以下では発信機２０の中継処理を、図１５に示すＳＡ１〜ＳＡ５と関連づけて説明する。図１６は、発信機２０によって実行される中継処理のフローチャートである。ただし、この中継処理におけるＳＤ１〜ＳＤ４、ＳＤ９〜ＳＤ１２は、図１２に示した実施の形態１の処理のＳＤ１〜ＳＤ４、ＳＤ１１〜ＳＤ１４と同じであるため、その説明を省略する。
【０１１２】
図１６に示すように、ＳＤ４の処理後、発信機２０の制御部２６は、ユーザによって押しボタン部２１が火災信号の送信指示を受け付ける前の状態に復旧されたか否かを監視する（ＳＤ５）。ここで、ユーザによる押しボタン部２１の操作がなされないことで、押しボタン部２１が火災信号の送信指示を受け付けた状態を維持する場合（ＳＤ５、Ｎｏ）、発信機２０の制御部２６は、無線通信部２３が確認信号を無線で受信したか否かを監視する（ＳＤ６）。
【０１１３】
ここで、発信機２０の無線通信部２３が確認信号を無線で受信していない場合（ＳＤ６、Ｎｏ）、発信機２０の制御部２６は、所定時間（例えば１分）が経過したか否かを監視する（ＳＤ７）。その結果、所定時間が経過していない場合（ＳＤ７、Ｎｏ）、発信機２０の制御部２６は、ＳＤ５に移行する。一方、所定時間が経過した場合（ＳＤ７、Ｙｅｓ）、発信機２０の制御部２６は、ＳＤ４に移行する。
【０１１４】
一方で、発信機２０の無線通信部２３が確認信号を無線で受信した場合（ＳＤ６、Ｙｅｓ）（ＳＡ３）、発信機２０の制御部２６は、表示部２４によって確認信号を受信した旨を表示させ（ＳＤ８）、ＳＤ５に移行する。このように、無線通信部２３が確認信号を受信した場合に、発信機２０の制御部２６は、無線通信部２３によって火災信号を送信させないので、発信機２０と中継装置３０との間のトラフィック、又は発信機２０と受信装置４０との間のトラフィック等を一層減らすことができると共に、発信機２０の電源部２５の消費電力を低減できる。
【０１１５】
（効果）
このように実施の形態２によれば、発信機２０の無線通信部２３は、当該無線通信部２３が確認信号を受信した場合に、火災信号の送信を停止するので、発信機２０と中継装置３０との間のトラフィック、又は発信機２０と受信装置４０との間のトラフィック等を一層減らすことができると共に、発信機２０の電源部２５の消費電力を低減でき、発信機２０の通信効率を向上させることができる。
【０１１６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１１７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１１８】
（分散や統合について）
上述した火災報知システム１の各電気的構成要素は機能概念的なものであり、必ずしも物理的に図示の如く構成されていることを要しない。すなわち、各部の分散又は統合の具体的形態は図示のものに限られず、その全部又は一部を、各種の負荷や使用状況などに応じて、任意の単位で機能的又は物理的に分散又は統合して構成できる。
【０１１９】
（感知器について）
上述した各実施の形態では、感知器１０の無線送信部は、火災信号又は火災復旧信号を送信すると説明したが、これに限られない。例えば、この無線送信部は、感知器１０の動作状況を監視するために、当該感知器１０の感知器識別情報を定期的に送信してもよい。この場合には、受信装置４０の無線通信部４３が感知器識別情報を定期的に受信しなくなったと判定された場合に、受信装置４０の制御部４７は信号出力部４４によって信号線２を断線させてもよい。具体的には、受信装置４０の制御部４７はＬ−Ｃ出力部４４ｂによってＬ−Ｃ線２ｅを断線させる（なお、発信機２０の無線送信部２３についても同様）。
【０１２０】
（発信機識別情報について）
上述した各実施の形態では、発信機識別情報は、発信機２０を一意に識別する情報と説明したが、発信機２０の各々を識別するものに限られず、例えば単に発信機２０であることを識別する情報であってもよい。
【０１２１】
（確認信号の出力方法について）
上述した各実施の形態では、信号出力部５６が、受信機５０と接続された信号線４を導通可能にさせたり、又は短絡させることにより、確認信号を受信装置４０に送信すると説明したが、これに限られない。例えば、受信装置４０と接続された信号線２が信号出力部４４によって短絡されることにより、信号出力部５６が、確認信号を信号線２を介して受信装置４０に送信するようにしてもよい。具体的には、Ａ線出力端子４ａ１及びＣ線出力端子４ｂ１は、受信装置４０側とは逆側（受信機５０を挟んで受信装置４０側と反対に位置する側）のＡ線２ａ及びＣ線２ｂと各々接続させ、Ａ線入力端子４ａ２及びＣ線入力端子４ｂ２は、受信装置４０側のＡ線２ａ及びＣ線２ｂと各々接続させる。そして、信号出力部５６は、信号出力部４４によってＡ−Ｃ線２ｄが短絡されることにより、Ａ線２ａからＣ線２ｃに向けて電流が流れるようにし、この電流を発信機２０に検知させることにより、受信機５０の確認信号を発信機２０に送信する。これにより、信号線２のみで火災信号及び確認信号の通信を行うことができるので、信号線４を用いなくて済み、配線の省略化を図ることができます。
【０１２２】
（発信機の中継処理について）
発信機２０が中継処理を実行している間、当該発信機２０は継続して動作させると説明したが、上述した各実施の形態の処理に限定されない。例えば、発信機２０の無線通信部２３は、ＳＤ４にて当該無線通信部２３が火災信号を無線で送信した場合において、当該火災信号を送信してから所定時間（例えば３分）が経過するまでの間、当該無線通信部２３を動作させ、当該所定時間経過後、当該無線通信部２３の動作を停止させてもよい。これにより、発信機２０の電源部２５の消費電力を低減できる。
【０１２３】
（受信装置の中継処理について）
受信装置４０が火災信号や火災復旧信号を受信した際に、当該受信装置４０で行われる処理は、上述した各実施の形態の処理に限定されない。すなわち、複数の端末装置（ここでは、感知器１０、発信機２０、中継装置３０）から、それぞれ火災信号が送信された場合、受信装置４０は、火災信号が送信された順に、信号線２を各火災信号に対応する形態で短絡させる。この短絡処理において、短絡対象となる信号線２のうち、既に短絡させている部分がある場合には、残りの部分のみを短絡させればよい。あるいは、短絡対象となる信号線２のうち、次に短絡させる部分が既に短絡させている部分と重複する部分を含む場合であって、かつ既に短絡させている部分よりも短絡させる部分が少ない場合には、既に短絡させている部分を維持させたり、又は既に短絡させている部分と次に短絡させる部分と重複する部分の短絡状態を維持させて、残りの部分を復旧させてもよい。また、複数の端末装置から、それぞれ火災復旧信号が送信された場合、受信装置４０は、火災復旧信号が送信された順に、信号線２を各火災復旧信号に対応する形態で導通可能な状態に復旧させる。この復旧処理において、復旧対象となる信号線２のうち、既に復旧させている部分がある場合には、残りの部分のみを復旧させればよいが、火災信号を送信した後に未だ火災復旧信号を送信していない端末装置がある場合には、当該端末装置からの火災信号に対応する形態で短絡させている部分は短絡状態に維持したまま、他の部分のみを復旧させる。
【符号の説明】
【０１２４】
１  火災報知システム
２、４、１０２  信号線
２ａ、４ａ、１０２ａ  Ａ線
２ａ１、４ａ１  Ａ線出力端子
２ａ２、４ａ２  Ａ線入力端子
２ｂ、４ｂ、１０２ｂ  Ｃ線
２ｂ１、４ｂ１  Ｃ線出力端子
２ｂ２、４ｂ２  Ｃ線入力端子
２ｃ、１０２ｃ  Ｌ線
２ｃ１  Ｌ線出力端子
２ｃ２  Ｌ線入力端子
２ｄ、４ｄ  Ａ−Ｃ線
２ｅ  Ｌ−Ｃ線
２ｆ、２ｇ、２ｈ、４ｆ  リレー
３  電源線
１０  感知器
２０、１３０  発信機
２１  押しボタン部
２２  テストスイッチ部
２３、３３、４３  無線通信部
２４、３２、４２、５２  表示部
２５、３４  電源部
２６、３５、４７、５８  制御部
２６ａ  火災信号生成部
２７、３６、４８、５９  記憶部
３０  中継装置
３１、４１、５１  操作部
４０、１４０  受信装置
４４、５６  信号出力部
４４ａ  Ａ−Ｃ出力部
４４ｂ  Ｌ−Ｃ出力部
４５、５５  信号入力部
４６、５７  電源回路部
４７ａ  識別情報取得部
４８ａ  移報方法テーブル
５０、１５０  受信機
５３  音声出力部
５４  通信部
１０１  防災システム
１１０  有線式感知器
１２０  無線式感知器
【図１】
0005719609.tif 000002
【図２】
0005719609.tif 000003
【図３】
0005719609.tif 000004
【図４】
0005719609.tif 000005
【図５】
0005719609.tif 000006
【図６】
0005719609.tif 000007
【図７】
0005719609.tif 000008
【図８】
0005719609.tif 000009
【図９】
0005719609.tif 000010
【図１０】
0005719609.tif 000011
【図１１】
0005719609.tif 000012
【図１２】
0005719609.tif 000013
【図１３】
0005719609.tif 000014
【図１４】
0005719609.tif 000015
【図１５】
0005719609.tif 000016
【図１６】
0005719609.tif 000017
【図１７】
0005719609.tif 000018